(57)【要約】【課題】プッシュボタンの中心軸が、ロータリーエンコーダの中心軸から傾きにくくて、確実にスイッチを入れることができるプッシュボタンのぐらつき防止構造を提供すること。【解決手段】プッシュボタンに、ロータリーエンコーダ３２０の回転部３３０の軸方向の一端側に位置する被押圧部と、回転部３３０の内周面に間隔をおいて位置して被押圧部の中央側からスイッチの方に軸方向に延在するスイッチ押圧部５００と、スイッチ押圧部５００から回転部３３０の内周面の方に延在して、その内周面に軸方向に摺動可能に接触すると共に、周方向に互いに間隔をおいて位置する複数のぐらつき防止部４０４と、回転部３３０の内周面に固定された固定部４０７と、スイッチ押圧部５００と固定部４０７とを連結すると共に、可撓性を有する可撓性連結部４９７とを形成する。【選択図】図６
2010287535.tif 000002
【特許請求の範囲】
【請求項１】
静止部と、この静止部に対して回転自在な筒状の回転部とを有するロータリーエンコーダと、
上記回転部の内周面の内側に、上記静止部に対して静止した状態で位置するスイッチを押圧するためのプッシュボタンと
を備え、
上記プッシュボタンは、
上記回転部の軸方向の一端側に位置して、上記軸方向の一端側からの押圧力を受ける被押圧部と、
上記回転部の上記内周面に間隔をおいて位置すると共に、上記被押圧部の中央側から上記スイッチの方に上記軸方向に延在するスイッチ押圧部と、
上記スイッチ押圧部から上記回転部の上記内周面の方に延在して、上記内周面に上記軸方向に摺動可能に接触し、かつ、周方向に互いに間隔をおいて位置して、上記内周面に対する上記スイッチ押圧部の径方向のぐらつきを防止する複数のぐらつき防止部と、
上記回転部の上記内周面に固定された固定部と、
上記スイッチ押圧部と、上記固定部とを連結すると共に、可撓性を有する可撓性連結部と
を有し、
上記押圧力による上記可撓性連結部の撓みによって、上記スイッチ押圧部が上記固定部に対して上記軸方向の上記スイッチ側に相対移動することを特徴とするプッシュボタンのぐらつき防止構造。
【請求項２】
請求項１に記載のプッシュボタンのぐらつき防止構造において、
上記可撓性連結部は、上記ぐらつき防止部の上記軸方向の上記被押圧部側とは反対側に位置し、
上記各ぐらつき防止部は、上記被押圧部および上記スイッチ押圧部の両方につながる平板状のリブであり、
上記リブの上記径方向の外方の端面の全面は、上記回転部の上記内周面に接触し、
上記リブの上記軸方向の長さは、上記リブの上記スイッチ押圧部から上記回転部の上記内周面までの長さよりも長いことを特徴とするプッシュボタンのぐらつき防止構造。
【発明の詳細な説明】
【技術分野】
【０００１】
本発明は、プッシュボタンのぐらつき防止構造に関し、特に、電子レンジや、蒸気調理器等の加熱調理器に使用すれば好適なプッシュボタンのぐらつき防止構造に関する。
【背景技術】
【０００２】
従来、タクトスイッチを押圧するプッシュボタンのぐらつき防止構造としては、プッシュボタンの背面側に圧縮コイルスプリングを介在させて、プッシュボタンの押し下げ操作を解除したときの復帰が、その圧縮コイルスプリングのバネ力によってなされるように構成したものがある。
【０００３】
このプッシュボタンのぐらつき構造は、プッシュボタンの軸部を付勢するバネを必要とするため、組み立て作業効率を良くすることが困難で、また、別部品としてのバネを必要とするため、製造コストを低く抑制することが難しいという課題がある。
【０００４】
また、従来、上記作業効率および製造コストの課題を改善できるプッシュボタンのぐらつき防止構造としては、特開２００５−１９７０７０号公報に記載されているものがある。
【０００５】
このプッシュボタンのぐらつき防止構造は、ロータリーエンコーダ部と、プッシュスイッチ部とを一体に組み込み、上記ロータリーエンコーダ部は、ロータリーツマミを回転操作することで、その電気的出力を変化させるようになっている一方、プッシュスイッチ部は、プッシュボタンを押し下げ操作することで、プッシュスイッチをオン状態にするようになっている。
【０００６】
また、このプッシュボタンのぐらつき防止構造は、ロータリーエンコーダ部に弾性変形可能な弾性部を一体に設け、この弾性部をプッシュボタンへ摺動可能に接触させることにより、プッシュボタンを付勢するようにしている。
【先行技術文献】
【特許文献】
【０００７】
【特許文献１】特開２００５−１９７０７０号公報
【発明の概要】
【発明が解決しようとする課題】
【０００８】
上記プッシュボタンのぐらつき防止構造は、弾性部の弾性変形を利用して、プッシュボタンの旧位置への復帰を行うようにしているから、別部材としてのバネを必要とすることがなくて、部品点数の削減、組み立ての容易化および製造コストの低減を達成することができる。
【０００９】
しかしながら、上記従来のプッシュボタンのぐらつき構造では、ユーザーがプッシュボタンを押した際、回路基板のタクトスイッチを押すための中心軸（回路基板の法線方向）に対して、プッシュボタンの中心軸が傾くことがあり、プッシュボタンがぐらつく場合がある。また、プッシュボタンの押圧される部分に起因して、スイッチが、入ったり、入らなかったりすることがある。また、この課題は、プッシュボタンが大きい場合にいっそう顕著になる。
【００１０】
そこで、本発明の課題は、プッシュボタンの中心軸が、ロータリーエンコーダの中心軸から傾きにくくて、ユーザーが押圧する部分によらず確実にスイッチを入れることができるプッシュボタンのぐらつき防止構造を提供することにある。
【課題を解決するための手段】
【００１１】
上記課題を解決するため、プッシュボタンのぐらつき防止構造は、
静止部と、この静止部に対して回転自在な筒状の回転部とを有するロータリーエンコーダと、
上記回転部の内周面の内側に、上記静止部に対して静止した状態で位置するスイッチを押圧するためのプッシュボタンと
を備え、
上記プッシュボタンは、
上記回転部の軸方向の一端側に位置して、上記軸方向の一端側からの押圧力を受ける被押圧部と、
上記回転部の上記内周面に間隔をおいて位置すると共に、上記被押圧部の中央側から上記スイッチの方に上記軸方向に延在するスイッチ押圧部と、
上記スイッチ押圧部から上記回転部の上記内周面の方に延在して、上記内周面に上記軸方向に摺動可能に接触し、かつ、周方向に互いに間隔をおいて位置して、上記内周面に対する上記スイッチ押圧部の径方向のぐらつきを防止する複数のぐらつき防止部と、
上記回転部の上記内周面に固定された固定部と、
上記スイッチ押圧部と、上記固定部とを連結すると共に、可撓性を有する可撓性連結部と
を有し、
上記押圧力による上記可撓性連結部の撓みによって、上記スイッチ押圧部が上記固定部に対して上記軸方向の上記スイッチ側に相対移動することを特徴としている。
【００１２】
本発明によれば、スイッチ押圧部から上記回転部の上記内周面の方に延在して、内周面に軸方向に摺動可能に接触すると共に、周方向に互いに間隔をおいて位置する複数のぐらつき防止部を有しているから、このぐらつき防止部で、上記スイッチ押圧部を回転部の内周面に対して支持できて、回転部の内周面に対してサポートできる。したがって、上記ぐらつき防止部で、上記回転部の内周面に対するスイッチ押圧部の径方向の移動を抑制できて、プッシュボタンの中心軸に対するロータリーエンコーダの中心軸の傾きを抑制できるから、ユーザーが押圧する部分によらず確実にスイッチを入れることができる。
【００１３】
また、本発明によれば、周方向に間隔をおいて位置する複数のぐらつき防止部が、内周面に接触する構成であるから、回転部の内周面に対して相対回転することを抑制できる。
【００１４】
また、一実施形態では、
上記可撓性連結部は、上記ぐらつき防止部の上記軸方向の上記被押圧部側とは反対側に位置し、
上記各ぐらつき防止部は、上記被押圧部および上記スイッチ押圧部の両方につながる平板状のリブであり、
上記リブの上記径方向の外方の端面の全面は、上記回転部の上記内周面に接触し、
上記リブの上記軸方向の長さは、上記リブの上記スイッチ押圧部から上記回転部の上記内周面までの長さよりも長い。
【００１５】
上記実施形態によれば、各ぐらつき防止部は、上記被押圧部および上記スイッチ押圧部につながる平板状のリブであって、上記リブの上記径方向の外方の端面の全面が、上記回転部の上記内周面に接触し、かつ、上記リブの上記軸方向の長さは、上記リブの上記スイッチ押圧部から上記回転部の上記内周面までの長さよりも長いから、ぐらつき防止部と、回転部の内周面との接触を線接触にすることができて、軸方向の長い範囲に亘って、スイッチ押圧部の傾きを防止することができる。したがって、スイッチ押圧部がぐらつくことがない。
【００１６】
また、上記実施形態によれば、ぐらつき防止部が、リブであって、ぐらつき防止部と、内周面との接触面積が小さいから、ぐらつき防止部の軸方向の摺動が円滑になる。
【００１７】
また、上記実施形態によれば、ぐらつき防止部が、平板状のリブであるから、ぐらつき防止部の材料コストを低減できて、プッシュボタンのぐらつき防止構造の製造コストを低減できる。
【発明の効果】
【００１８】
本発明のプッシュボタンのぐらつき防止構造によれば、プッシュボタンの中心軸が、ロータリーエンコーダの中心軸から傾きにくくて、ユーザーが押圧する部分によらず確実にスイッチを入れることができる。
【図面の簡単な説明】
【００１９】
【図１】本発明の一実施形態の蒸気調理器の外観を示す斜視図である。
【図２】上記蒸気調理器の概略構成図である。
【図３】ロータリーエンコーダを示す斜視図である。
【図４】プッシュボタンを示す斜視図である。
【図５】回路基板上に装着されたロータリーエンコーダおよびロータリーエンコーダの所定位置に固定された状態のプッシュボタンを示す模式斜視図である。
【図６】図５において、プッシュボタンにおける、回転部と被押圧部との間の部分を、プッシュボタンの軸方向に垂直な平面で切断したものを、回路基板の上方から見たときの図である。
【発明を実施するための形態】
【００２０】
以下、本発明を図示の形態により詳細に説明する。
【００２１】
図１は、本発明の一実施形態の蒸気調理器を正面側から見たときの斜視図である。
この蒸気調理器は、直方体形状のケーシング１０１と、加熱室と、開閉扉１０３と、取手構造１０４とを備える。上記開閉扉１０３は、その開閉扉１０３の下縁を、略中心軸とする、回動を行うことによって、上記加熱室の前面側のドアフレーム１２０の開口部が開閉されるようになっている。開閉扉１０３の略中央部には、耐熱ガラス１１１が配置され、ユーザーが、耐熱ガラス１１１を通して加熱室内の状態を視認できるようになっている。上記開閉扉１０３の後面には、耐熱ガラス１１１を取り囲むように耐熱樹脂製のパッキン（図示せず）が固着されている。
【００２２】
上記パッキンは、開閉扉１０３の全閉時、加熱室の開口部の周縁部に強く押し付けられるようになっている。これにより、開閉扉１０３と加熱室の開口部の周縁部との間から、加熱室内の水蒸気などが漏れ出るのを防止している。
【００２３】
上記ケーシング１０１の前面の右側には、操作パネルがある。操作パネルには、エンコーダボタンとしてのダイヤル１０５、決定ボタン１０６、スタートボタン１０７、操作ボタン１１４および液晶表示部１０８がある。
【００２４】
上記ダイヤル１０５および決定ボタン１０６は、多目的で使用されるが、例えば、ダイヤル１０５を適宜回転することで、液晶表示部１０８に表示される複数の調理メニューから所望の調理メニューを取捨選択することができる。また、上記決定ボタン１０６で、その所望の調理メニューを決定することができる。
【００２５】
また、上記スタートボタン１０７は、調理をスタートさせる際に使用するようになっている。また、上記操作ボタン１１４は、取り消しボタン等からなり、取り消しボタンは、調理を取り消す際に使用するようになっている。
【００２６】
上記ダイヤル１０５は、蒸気調理器内部の回路基板に搭載されているロータリーエンコーダ（図１では図示しない）の回転部に係止して、ロータリーエンコーダに回転動力を伝えるようになっている。このようにして、ユーザーがダイヤル１０５を回す回転速度を測定して、例えば、この情報によって、液晶表示部１０８での調理メニューの表示方法を適宜、変えるようにしている。
【００２７】
また、上記決定ボタン１０６は、プッシュボタン（図１では図示しない）に嵌め込まれ、そのプッシュボタンの決定ボタン１０６と反対側の先端部は、上記ロータリーエンコーダの回転部に内嵌されて固定されている。上記プッシュボタンおよび上記ロータリーエンコーダは、プッシュボタンのぐらつき防止構造を構成している。
【００２８】
尚、図１において、１０９は、外周円錐面を有する金属製の環状部材である。この環状部材１０９は、ドアフレーム１２０に固定されている。この環状部材１０９は、ダイヤル１０５をサポートし、ダイヤル１０５を径方向に支持する役割を果たしている。また、上記環状部材１０９は、ユーザーのダイヤル１０５操作時の手触り感を心地よいものとし、また、蒸気料理器の外観を高級感あふれるものとしている。
【００２９】
図２は、上記加熱調理器の概略構成図である。
【００３０】
上記加熱調理器は、ケーシング１０１と、加熱室２と、蒸気を発生させる蒸気発生装置３と、蒸気加熱ヒータ４と、制御装置５とを備える。
【００３１】
上記加熱室２は、ケーシング１０１内に設けられている。また、上記蒸気加熱ヒータ４は、蒸気発生装置３からの水蒸気を加熱して過熱水蒸気にしている。また、制御装置５は、蒸気発生装置３や蒸気加熱ヒータ４などの動作を制御している。尚、上記過熱水蒸気とは、１００℃以上の過熱状態にまで加熱された水蒸気を意味している。
【００３２】
上記加熱室２は、扉１０３（図１参照）で開閉される開口部を正面側に有している。また、上記加熱室２の側面、底面および天面は、ステンレス鋼板からなっている。ユーザーは、その開口部を通して、加熱室２に被加熱物１０を出し入れするようになっている。上記加熱室２の周囲に、断熱材（図示せず）を配置して、加熱室２内と外部とを断熱している。
【００３３】
上記加熱室２内には、加熱室２の底面から所定の間隔をあけて鉄などの金属製あるいはセラミックス製のトレイ６が置かれている。上記トレイ６は、加熱室２の左右の側壁に設けられた下受け棚１１により支持されている。上記トレイ６上には、鉄などの金属製の調理網７が載置され、その調理網７の略中央に被加熱物１０が置かれるようになっている。こうして、上記被加熱物１０が、加熱室２の底面から間隔をあけた状態で加熱室２内に収容されるようになっている。
【００３４】
上記加熱室２の左右の側壁には、下受け棚１１よりも上側に位置する中受け棚１２と、中受け棚１２よりも上側に位置する上受け棚１３とが設けられている。上記中受け棚１２および上受け棚１３も、下受け棚１１と同様に、トレイ６を支持することが可能である。
【００３５】
上記蒸気発生装置３は、蒸気発生部３９と、給水タンク４０と、水加熱ヒータ４１と、電磁弁４９とを有している。上記給水タンク４０は、蒸気発生部３９に供給する水を収容するようになっている。また、上記水加熱ヒータ４１は、蒸気発生部３９内に設置され、蒸気発生部３９内に溜まった水を加熱して蒸発させるようになっている。尚、上記水加熱ヒータ４１は、シーズヒータを渦巻状に巻いたものである。
【００３６】
上記電磁弁４９が開放すると、給水タンク４０内の水が蒸気発生部３９内に流入し、また、電磁弁４９が閉鎖すると、給水タンク４０から蒸気発生部３９への水の移動できなくなる。また、上記蒸気発生部３９には、水位センサ（図示せず）が設けられており、この水位センサの検出値に応じて、電磁弁４９が開閉するようになっている。
【００３７】
上記給水タンク４０は、蒸気発生部３９に対して着脱可能となっており、正面側からケーシング１０１外に取り出せるようになっている。上記蒸気発生部３９の底部には、排水弁４２が取り付けられている。この排水弁４２に、排水経路１４の一方の端部が接続されている。上記排水経路１４の他方の端部は、つゆ受け９上に位置している。上記つゆ受け９は、ケーシング１０１に着脱可能となっており、正面側からケーシング１０１外に取り出せるようになっている。
【００３８】
また、上記加熱室２の一方の側面においては、上受け棚１３と中受け棚１２との間に、循環吸気口１５が設けられている。そして、上記加熱室２の上面には、蒸気加熱ヒータ４に対向するように第１噴出口１６が設けられている。さらに、上記加熱室２の他方の側面には、第２，第３噴出口１７，１８が設けられている。上記第２噴出口１７は、上受け棚１３と中受け棚１２との間に位置している。一方、第３噴出口１８は、中受け棚１２と下受け棚１１との間に位置している。上記循環吸気口１５、第１噴出口１６、第２噴出口１７および第３噴出口１８により、加熱室２内の空間と、循環経路８内の空間とが互いに連通するようになっている。
【００３９】
上記循環経路８は、一端部が循環吸気口１５に接続されていると共に、他端部が第２噴出口１７および第３噴出口１８に接続されている。循環吸気口１５近傍の循環ファン１９は、循環吸気口１５から加熱室２内の水蒸気を吸い込み、蒸気加熱ヒータ４に向けて吹き出す。そして、上記水蒸気が、蒸気加熱ヒータ４で加熱されて過熱水蒸気となった後、第１噴出口１６および第２，第３噴出口１７，１８から、加熱室２内に向かって噴出するようになっている。
【００４０】
また、上記循環経路８の循環吸気口１５近傍の部分は、蒸気放出経路２０を介して蒸気発生部３９に接続されている。これにより、蒸気発生部３９で発生した水蒸気が、蒸気放出経路２０を流れて循環経路８に入り、循環吸気口１５からの水蒸気と合流して蒸気加熱ヒータ４へ向かって流れるようになっている。また、上記加熱室２内の余剰な蒸気が、第１，第２排気口２１，２２から加熱室２外に流れ出るようになっている。
【００４１】
上記第１排気口２１には、排気経路２３の一端部が接続されている。また、上記排気経路２３の他端部は、エジェクタ２４を形成している。また、上記第１排気口２１は、排気ダンパ２５で開閉可能になっている。
【００４２】
上記第２排気口２２には、排気チューブ２６の一端部が接続されている。また、上記排気チューブ２６の他端部は、排気経路２３に接続されている。これにより、排気チューブ２６内の蒸気が、排気経路２３内の蒸気と合流して、エジェクタ２４からケーシング１０１外に出ることができるようになっている。また、上記エジェクタ２４からケーシング１０１外へ向かう蒸気が、希釈空気経路２７および吸込ダクト２８からの空気と混ざって希釈できるようになっている。
【００４３】
上記希釈空気経路２７は、エジェクタ２４内に挿入された一端部と、ファンケーシング２９に接続さている他端部とを有する。このファンケーシング２９内の排気希釈ファン３０は、エジェクタ２４へ空気を送るようになっている。また、上記ファンケーシング２９は、給気経路３１を介して給気口３２に接続されている。上記給気口３２は、給気ダンパ３３で開閉可能になっている。また、上記ケーシング１０１内には、マイクロ波を発生するマグネトロン５２も設置されている。
【００４４】
図３は、ロータリーエンコーダ３２０を示す斜視図である。
【００４５】
上記ロータリーエンコーダ３２０は、回路基板３００に装着されて固定されている。上記ロータリーエンコーダ３２０は、筒状の静止部３４１と、筒状の回転部３３０を有する。上記静止部３４１は、回転基板３００に対して固定されている。上記静止部３４１は、回転基板３００に対して静止している。また、上記回転部３３０は、筒状の静止部３４１の内周面側に、静止部３４１に対して、軸方向に相対移動不可である一方、周方向に回転自在に内嵌されている。上記回転部３３０の軸方向の長さは、静止部３４１の長さよりも長くなっている。上記回転部３３０には、ダイヤル１０５が外嵌されて固定されるようになっている。
【００４６】
上記ダイヤル１０５と、回転部３３０とを係合して、ダイヤル１０５の回転動力を、回転部３３０に伝達するようになっている。
【００４７】
一方、上記回転部３３０の内周面側には、決定ボタン１０６（図１参照）が嵌め込まれるプッシュボタンの軸方向の一端側の先端部が、内嵌されて固定されるようになっている。
【００４８】
上記回転部３３０の径方向の内方には、図示しないタクトスイッチが回路基板３００に静止した状態で位置している。このタクトスイッチを、以下に説明するプッシュボタンで押圧することにより、スイッチを入れるようになっている。
【００４９】
図４は、上記決定ボタン１０６が嵌め込まれるプッシュボタンの斜視図である。
【００５０】
上記プッシュボタン４００は、被押圧部４０２、スイッチ押圧部、５つのぐらつき防止部４０４、固定部４０７および可撓性連結部を有する。
【００５１】
上記被押圧部４０２は、略筒部材の一端のみが塞がれたような形状を有し、軸方向の他方側のみが開口したような形状を有している。上記被押圧部４０２の他端側に開口する凹部には、決定ボタン１０６（図１参照）が外嵌により嵌め込み固定されるようになっている。上記被押圧部４０２は、切欠き４０９を有している。この切欠き４０９は、被押圧部４０２の剛性を弱めて、被押圧部４０２の剛可撓性を大きくするために設けられている。この切欠き４０９によって、被押圧部４０２に決定ボタン１０６を確実かつ堅固に固定することができるようになっている。
【００５２】
上記スイッチ押圧部は、被押圧部４０２の底面部４１１の決定ボタン１０６側とは反対側の平面につながっている。上記スイッチ押圧部は、被押圧部の上記平面の中央側から軸方向に延在している。
【００５３】
上記各ぐらつき防止部４０４は、平面状のリブからなっている。上記ぐらつき防止部４０４は、被押圧部４０２の底面部４１１の決定ボタン１０６側とは反対側の平面につながると共に、上記スイッチ押圧部につながっている。上記各平板状のリブは、その軸方向の長さが、リブの軸方向に垂直な方向の長さよりも長くなっている。
【００５４】
上記固定部４０７は、ロータリーエンコーダ３２０の回転部３３０（図３参照）の内周面に内嵌されて固定されるようになっている。上記固定部４０７は、アーチ状の部分４２３を有している。このアーチ状の部分４２３は、固定部４０７の周方向の剛性を大きくする役割を果たしている。上記固定部４０７は、二つの外爪４１５を有する。上記各外爪４１５は、固定部４０７の径方向の外方の面からレ字状に径方向の外方かつ軸方向の被押圧部４０２側に屈曲している。この外爪４１５を、回転部３３０（図３参照）の内周面に係合することにより、固定部４０７を、回転部３３０に相対移動不可に固定するようになっている。
【００５５】
上記可撓性連結部は、上記スイッチ押圧部と、固定部４０７とを連結している。上記可撓性連結部は、可撓性に富んだ材料からなっている。上記可撓性連結部は、弾性を有し、弾性変形が可能になっている。上記可撓性連結部は、押圧力が付加されると、撓む一方、その押圧力がなくなると、元の形状に戻るようになっている。
【００５６】
図４に示すように、上記ぐらつき防止部４０４は、固定部４０７に対して軸方向に間隔をおいて位置している。ユーザーが決定ボタン１０６に押圧力を与えると、上記可撓性連結部が変形して、これに伴って、上記スイッチ押圧部が、ぐらつき防止部４０４が固定部４０７に近づくように軸方向に移動して、上記スイッチ押圧部がタクトスイッチを押圧するようになっている。
【００５７】
図５は、回路基板３００上に装着されたロータリーエンコーダ３２０およびロータリーエンコーダ３２０の所定位置に固定された状態のプッシュボタン４００を示す模式斜視図である。
【００５８】
図５に示すように、プッシュボタン４００の凹部４８０には、二つの筒状の部分、すなわち、第１筒状部４６１および第２筒状部４６２が収容されている。上記第１筒状部４６１および第２筒状部４６２は、被押圧部４０２と一体になっている。上記第１筒状部４６１および第２筒状部４６２は、被押圧部４０２の底面部４１１（図４参照）につながって、その底面部４１１と一体になった状態で、その底面部４１１を通過して、上記タクトスイッチの方に軸方向に延在している。上記第１筒状部４６１および第２筒状部４６２は、プッシュボタン４００のスイッチ押圧部の一部を構成している。
【００５９】
図５に示すように、ユーザーからの押圧力を受けていない状態で、ロータリーエンコーダ３２０の回転部３３０と、被押圧部４０２とは、軸方向に間隔をおいて位置している。ユーザーから押圧力を受けた状態で、被押圧部４０２が回路基板３００側に沈み込むことにより、上記スイッチ押圧部が、タクトスイッチを押圧するようになっている。
【００６０】
図６は、図５において、プッシュボタン４００における、回転部３３０と被押圧部４０２との間の部分を、プッシュボタン４００の軸方向に垂直な平面で切断したものを、回路基板３００の上方から見たときの図である。尚、図６においては、回路基板３００の図示を省略している。
【００６１】
図６に示すように、上記スイッチ押圧部５００は、第１筒状部４６１、第２筒状部４６２および接続部４６３を有し、接続部４６３は、第１筒状部４６１の外周面と、第２筒状部４６２の外周面とを接続している。
【００６２】
上記第１筒状部４６１の内周面の内径は、第２筒状部４６２の内周面の内径よりも大きくなっている。図示しないＬＥＤからの光が、第１筒状部４６１の内周面の内方を通過するようになっている。この光は、決定ボタン１０６（図１参照）上に描かれている決定という文字を浮かび上がらせるのに使用されるようになっている。一方、第２筒状部４６２は、上記タクトスイッチを押圧する部分を構成している。
【００６３】
図６に示すように、リブからなる上記５つのぐらつき防止部４０４は、回転部３３０の周方向に互いに間隔をおいて位置している。上記各ぐらつき防止部４０４は、スイッチ押圧部５００から回転部３３０の内周面の方に延在して、その内周面に軸方向に摺動可能に接触している。上記リブ状の各ぐらつき防止部４０４は、径方向の外方の端面の全面が、回転部３３０の内周面に接触している。
【００６４】
図６において、４９７は、上記可撓性連結部を示している。上記可撓性連結部４９７は、第１部分４９８と、第２部分４９９とからなっている。図６に示すように、上記可撓性連結部４９７は、ユーザーからの押圧力が存在していない状態で、ぐらつき防止部４０４の軸方向の被押圧部４０２側とは反対側に位置している。上記第１部分４９８は、固定部４０７のアーチ状の部分４２３の周方向の一端部と、第２筒状部４６２の外周面とを連結している。また、上記第２部分４９９は、固定部４０７のアーチ状の部分４２３の周方向の他端部と、第２筒状部４６２の外周面とを連結している。
【００６５】
上記構成において、このプッシュボタンのぐらつき防止構造は、ユーザーから付与される押圧力によって、可撓性連結部４９７が撓むことにより、ぐらつき防止部４０４が回転部３３０の内周面上を軸方向に摺動すると共に、スイッチ押圧部５００が回転部３３０（すなわち、固定部４０７）に対して軸方向にタクトスイッチ側に移動するようになっている。このように、上記可撓性連結部４９７を撓ませて、スイッチ押圧部５００を固定部４０７の方に軸方向に相対移動させることにより、スイッチ押圧部５００の第２筒状部４６２で上記タクトスイッチを押圧して、上記タクトスイッチをオンにするようになっている。
【００６６】
また、ユーザーからの押圧力がなくなると、可撓性連結部４９７が撓む前の元の状態に戻ることにより、スイッチ押圧部５００が、可撓性連結部４９７が撓む前の位置に戻るようになっている。
【００６７】
上記実施形態のプッシュボタンのぐらつき防止構造によれば、上記スイッチ押圧部５００からロータリーエンコーダ３２０の回転部３３０の内周面の方に延在して、その内周面に軸方向に摺動可能に接触すると共に、周方向に互いに間隔をおいて位置する複数のぐらつき防止部４０４を有しているから、このぐらつき防止部４０４で、スイッチ押圧部５００を回転部３３０（図３参照）の内周面に対して支持できて、回転部３３０の内周面に対してサポートできる。したがって、上記ぐらつき防止部４０４で、回転部３３０の内周面に対するスイッチ押圧部５００の径方向の移動を抑制できて、プッシュボタン４００の中心軸に対するロータリーエンコーダ３２０の中心軸の傾きを抑制できるから、ユーザーが押圧する部分によらず確実にスイッチを入れることができる。
【００６８】
また、上記実施形態のプッシュボタンのぐらつき防止構造によれば、周方向に間隔をおいて位置する複数のぐらつき防止部４０４が、ロータリーエンコーダ３２０の回転部３３０の内周面に接触する構成であるから、回転部３３０の内周面に対して相対回転することを抑制できる。
【００６９】
また、上記実施形態のプッシュボタンのぐらつき防止構造によれば、各ぐらつき防止部４０４は、被押圧部４０２およびスイッチ押圧部５００につながる平板状のリブであって、上記リブの径方向の外方の端面の全面が、回転部３３０の内周面に接触し、かつ、上記リブの軸方向の長さが、そのリブのスイッチ押圧部５００から回転部３３０の内周面までの長さよりも長いから、ぐらつき防止部４０４と、回転部３３０の内周面との接触を線接触にすることができて、軸方向の長い範囲に亘って、スイッチ押圧部５００の傾きを防止することができる。したがって、スイッチ押圧部５００がぐらつくことがない。
【００７０】
また、上記実施形態のプッシュボタンのぐらつき防止構造によれば、ぐらつき防止部４０４が、リブであって、ぐらつき防止部４０４と、回転部３３０の内周面との接触面積が小さいから、ぐらつき防止部４０４の軸方向の摺動が円滑になる。
【００７１】
また、上記実施形態のプッシュボタンのぐらつき防止構造によれば、ぐらつき防止部４０４が、平板状のリブであるから、ぐらつき防止部４０４の材料コストを低減できて、プッシュボタンのぐらつき防止構造の製造コストを低減できる。
【００７２】
尚、上記実施形態のプッシュボタンのぐらつき防止構造では、ぐらつき防止部４０４が、周方向に互いに間隔をおいて５つ存在していたが、この発明では、ぐらつき防止部は、周方向に互いに間隔をおいて２、３、４または６以上存在していても良い。
【００７３】
また、上記実施形態のプッシュボタンのぐらつき防止構造では、全てのリブ状のぐらつき防止部４０４において、リブの軸方向の長さが、リブのスイッチ押圧部５００から回転部３３０の内周面までの長さよりも長くなっていたが、この発明では、少なくとも一のリブ状のぐらつき防止部は、リブの軸方向の長さが、リブのスイッチ押圧部から回転部の内周面までの長さよりも短くなっていても良い。
【００７４】
また、上記実施形態のプッシュボタンのぐらつき防止構造では、各ぐらつき防止部４０４が、平板状のリブであったが、この発明では、各ぐらつき防止部は、平板状のリブ状でなくても良い。例えば、この発明では、各ぐらつき防止部は、径方向の断面において略扇状の形状を有して、ロータリーエンコーダの回転部の内周面の周方向の一部に沿って接触するような形状であっても良い。
【００７５】
また、上記実施形態のプッシュボタンのぐらつき防止構造では、スイッチ押圧部５００が、筒状の部分４６１,４６２を有していたが、この発明では、スイッチ押圧部は、筒状の部分を有していなくても良い。この発明では、スイッチ押圧部は、回転部の周方向に間隔をおいて位置すると共に、被押圧部からスイッチの方に軸方向に延在していれば、如何なる形状を有していても良い。
【００７６】
また、上記実施形態のプッシュボタンのぐらつき防止構造では、上記可撓性連結部４９７が、ユーザーからの押圧力が存在していない状態で、ぐらつき防止部４０４の軸方向の被押圧部４０２側とは反対側に位置していたが、この発明では、可撓性連結部の一部が、ユーザーからの押圧力が存在していない状態で、ぐらつき防止部の軸方向の被押圧部側とは反対側の先端よりも被押圧部側に位置していても良い。
【００７７】
また、上記実施形態のプッシュボタンのぐらつき防止構造では、可撓性連結部４９７が、二つの一体部材、すなわち、第１部分４９８と、第２部分４９９とからなっているたが、この発明では、可撓性連結部は、一または三以上の一体の部材からなっていても良い。要は、可撓性連結部は、スイッチ押圧部と、固定部とを連結すると共に、可撓性を有して撓むことができる部材であれが、離散的に配置されても、一体として配置されても、また、如何なる形状を有していても良い。
【００７８】
また、上記実施形態のプッシュボタンのぐらつき防止構造では、固定部４０７が、アーチ状の部分４２３を有していたが、この発明では、固定部は、アーチ状の部分を有していなくても良い。この発明では、固定部は、ロータリーエンコーダの回転部の内周面に相対移動不可に固定できる形状であれば、如何なる形状であっても良い。
【００７９】
また、上記実施形態のプッシュボタンのぐらつき防止構造は、蒸気調理器の一部であった。しかしながら、この発明のプッシュボタンのぐらつき防止構造は、過熱水蒸気を使用しないオーブン、レンジ、オーブンレンジまたはＩＨクッキングヒータ等の加熱調理器の一部であっても良く、また、過熱水蒸気を使用するオーブン、レンジまたはＩＨクッキングヒータ等の加熱調理器の一部であっても良い。また、この発明のプッシュボタンのぐらつき防止構造は、各種計測装置の一部であっても良い。
【符号の説明】
【００８０】
３２０  ロータリーエンコーダ
３３０  回転部
３４１  静止部
４００  プッシュボタン
４０２  被押圧部
４０４  ぐらつき防止部
４０７  固定部
５００  スイッチ押圧部
４９７  可撓性連結部
【図１】
2010287535.tif 000003
【図２】
2010287535.tif 000004
【図３】
2010287535.tif 000005
【図４】
2010287535.tif 000006
【図５】
2010287535.tif 000007
【図６】
2010287535.tif 000008